(57)【要約】      （修正有）【課題】プッシュ式液体容器において、ヘッドの強度を十分に確保すると共に、部品の組み立てを容易に行うことができるスプレー式液体ヘッドを提供する。【解決手段】横向延伸管の対向する両側に、プッシュヘッド２１及び横向延伸管と一体的に構成された支持補強側縁２４を設けると共に、対向する一対の平面により構成された定方向位置決め部２３１と、定方向連結管部３１２に設けられ、定方向位置決め部２３１と接触する定方向リミット部３１３とを設けて構成する。【選択図】図３
0003157077.tif 000002
【実用新案登録請求の範囲】
【請求項１】
内部が中空とされたポンプ本体、前記ポンプ本体の底部に下へ伸びるように設けられたポンプ管、及び前記ポンプ本体の上部に設けられた容器締付リングを有するヘッド本体と、
前記ポンプ本体の内部に設けられたポンプユニットと、
前記ヘッド本体の上方に設けられ、プッシュヘッド及び横向延伸管を有するプッシュユニットと、
前記プッシュヘッドの底部に設けられ、前記プッシュヘッドの下方へ伸びた導液管と、を備えたスプレー式液体ヘッドであって、
前記容器締付リングは、前記スプレー式液体ヘッドを液体が収容される容器の瓶口の上に固定しており、
前記導液管の底部は昇降できるように、前記ポンプ本体の内部に挿入されており、
前記横向延伸管は、前記導液管を通過する前記液体を移送可能な構成とされており、
前記横向延伸管の他方側に設けられ、定方向位置決め部を有する定方向組合孔と、
前記横向延伸管の対向する両側に設けられ、縦方向に延在する形状とされた前記横向延伸管と一体形成された支持補強側縁と、
縦管部及び横向に伸びた定方向連結管部を有する曲がった構成管と、縦向端管と、スプレー導流ユニットとを備えた定方向組合式スプレーヘッドと、を有し、
前記支持補強側縁の片側は、前記プッシュヘッドと一体的に構成されており、前記支持補強側縁の他方側は、前記横向延伸管と一体的に構成されており、
前記定方向連結管部は、前記定方向組合孔に差し込まれると共に、前記定方向組合孔の定方向位置決め部に合せるための定方向リミット部を有しており、
前記縦向端管の底部には、ノズルが形成され、
前記縦向端管の上部には、前記縦管部に前記縦向端管を嵌合させるための嵌め口が形成されており、
前記スプレー導流ユニットは、前記縦管部と前記ノズルとの間に配置されており、
前記スプレー導流ユニットは、前記スプレー導流ユニットの上部を構成する複数の分流部と、前記スプレー導流ユニットの底部を構成する螺旋状伝送路と、前記複数の分流部と前記螺旋状伝送路との間に形成された複数の分流溝と、を有し、
前記分流部は、前記縦管部の下端と接触するように設けられており、前記螺旋状伝送路は、前記ノズルの位置に対応するように配置されていることを特徴とするスプレー式液体ヘッド。
【請求項２】
前記定方向組合孔は、円形孔とされており、
前記定方向連結管部は、円管形状とされており、
前記定方向位置決め部は、対向する平面を有しており、
前記定方向リミット部は、前記定方向位置決め部に設けられた対向する平面と接触する別の平面を有することを特徴とする請求項１記載のスプレー式液体ヘッド。
【請求項３】
前記プッシュヘッドの底部には、枠縁が設けられており、
前記支持補強側縁の片側と前記枠縁は、一体的に構成されており、
前記ポンプユニットは、前記容器締付リングの下方に配置され、前記導液管の底部と結合されたバルブと、前記ポンプ本体の底部にプリセットされた円錐孔口の上に配置されたステンレス玉と、前記バルブと前記ステンレス玉との間に配置され、弾力により前記バルブを支えるリセットスプリングと、を有することを特徴とする請求項１記載のスプレー式液体ヘッド。
【請求項４】
前記縦管部と前記定方向連結管部との間には、拡径凸座が設けられており、
前記拡径凸座の底部には、嵌込口が設けられ、
前記縦向端管の上部の前記嵌め口には、嵌込フランジが形成されており、
前記嵌込フランジは、前記嵌込口と嵌め合わされることで、固定されることを特徴とする請求項１記載のスプレー式液体ヘッド。
【請求項５】
前記縦向端管の内部の上側には、リング状凹部が設けられており、
前記縦管部には、前記リング状凹部と嵌合するリング状凸部が設けられていることを特徴とする請求項１記載のスプレー式液体ヘッド。
【考案の詳細な説明】
【技術分野】
【０００１】
本考案は、液体ヘッドに関わり、特にスプレー式液体ヘッドのオリジナルな構造設計に関する。
【背景技術】
【０００２】
現在、市販されている瓶詰め乳液などの液体商品には、プッシュ式の容器がある。このようなプッシュ式の容器では、使用者が容器の瓶口にあるプッシュヘッドを押すことで、乳液やそのほかの液体を噴出させている。
【先行技術文献】
【特許文献】
【０００３】
【特許文献１】特開平１０−１５３１６７号公報
【考案の概要】
【考案が解決しようとする課題】
【０００４】
しかしながら、従来のプッシュヘッドでは、毎回押し出された乳液などは塊状となり、この状態は使用上、使用効果が理想的でなくなる虞がある。例えば、液体ハンドソープの場合、押し出されたソープが霧状に広がって、すばやく均等に手部に分布することで、手で泡立てる回数が低減し、使い方が便利になるが、押し出されたソープが塊状となった場合、このような効果を得ることができない。
【０００５】
現在、関連業界でスプレー式液体ヘッドの改良が進められているが、スプレー式液体ヘッドの強度が十分でないという問題や、スプレー式液体ヘッドを構成する部品の組み立ての際、部品の向きが正しくなるように部品同士を容易に組み立てることができないという問題がある。
【０００６】
それゆえ、上述した従来のスプレー式液体ヘッドの問題点を解消したスプレー式液体ヘッドの開発が望まれている。
【０００７】
本考案は上記の点に鑑みてなされたものであり、スプレー式液体ヘッドの強度を十分に確保できると共に、部品の組み立てを容易に行うことのできるスプレー式液体ヘッドを提供することを目的とする。
【課題を解決するための手段】
【０００８】
本考案によれば、内部が中空とされたポンプ本体、前記ポンプ本体の底部に下へ伸びるように設けられたポンプ管、及び前記ポンプ本体の上部に設けられた容器締付リングを有するヘッド本体と、
前記ポンプ本体の内部に設けられたポンプユニットと、
前記ヘッド本体の上方に設けられ、プッシュヘッド及び横向延伸管を有するプッシュユニットと、
前記プッシュヘッドの底部に設けられ、前記プッシュヘッドの下方へ伸びた導液管と、を備えたスプレー式液体ヘッドであって、
前記容器締付リングは、前記スプレー式液体ヘッドを液体が収容される容器の瓶口の上に固定しており、
前記導液管の底部は昇降できるように、前記ポンプ本体の内部に挿入されており、
前記横向延伸管は、前記導液管を通過する前記液体を移送可能な構成とされており、
前記横向延伸管の他方側に設けられ、定方向位置決め部を有する定方向組合孔と、
前記横向延伸管の対向する両側に設けられ、縦方向に延在する形状とされた前記横向延伸管と一体形成された支持補強側縁と、
縦管部及び横向に伸びた定方向連結管部を有する曲がった構成管と、縦向端管と、スプレー導流ユニットとを備えた定方向組合式スプレーヘッドと、を有し、
前記支持補強側縁の片側は、前記プッシュヘッドと一体的に構成されており、前記支持補強側縁の他方側は、前記横向延伸管と一体的に構成されており、
前記定方向連結管部は、前記定方向組合孔に差し込まれると共に、前記定方向組合孔の定方向位置決め部に合せるための定方向リミット部を有しており、
前記縦向端管の底部には、ノズルが形成され、
前記縦向端管の上部には、前記縦管部に前記縦向端管を嵌合させるための嵌め口が形成されており、
前記スプレー導流ユニットは、前記縦管部と前記ノズルとの間に配置されており、
前記スプレー導流ユニットは、前記スプレー導流ユニットの上部を構成する複数の分流部と、前記スプレー導流ユニットの底部を構成する螺旋状伝送路と、前記複数の分流部と前記螺旋状伝送路との間に形成された複数の分流溝と、を有し、
前記分流部は、前記縦管部の下端と接触するように設けられており、前記螺旋状伝送路は、前記ノズルの位置に対応するように配置されていることを特徴とするスプレー式液体ヘッドにより解決することができる。
【考案の効果】
【０００９】
本考案のスプレー式液体ヘッドによれば、スプレー式液体ヘッドの強度を十分に確保できると共に、スプレー式液体ヘッドを構成する部品の組み立てを容易に行うことができる。
【図面の簡単な説明】
【００１０】
【図１】本考案の一実施例であるスプレー式液体ヘッドを容器の瓶口に組合せたときの立体図である。
【図２】本考案の一実施例であるスプレー式液体ヘッドの動作イメージを示す断面図である。
【図３】本考案の一実施例であるスプレー式液体ヘッドの主要部の分解斜視図である。
【図４】本考案の一実施例であるプッシュユニットの断面図である。
【図５】本考案の一実施例であるプッシュユニットの下面図である。
【図６】本考案の一実施例である定方向組合式スプレーヘッドの一部を拡大した断面図である。
【図７】本考案の一実施例である定方向組合式スプレーヘッドの一部拡大図である。
【考案を実施するための形態】
【００１１】
次に、本考案の実施の形態について図面と共に説明する。
【００１２】
図１は、本考案の一実施例であるスプレー式液体ヘッドを容器の瓶口に組合せたときの立体図である。図２は、本考案の一実施例であるスプレー式液体ヘッドの動作イメージを示す断面図である。
【００１３】
図１及び図２を参照するに、本考案の一実施例であるスプレー式液体ヘッドＡは、ヘッド本体１０と、ポンプユニット１４と、プッシュユニット２０と、導液管２１１と、定方向組合孔２３と、支持補強側縁２４と、枠縁２１２と、定方向組合式スプレーヘッド３０とを有する。
【００１４】
図２を参照するに、ヘッド本体１０は、ポンプ本体１１と、ポンプ管１２と、容器締付リング１３とを有する。ポンプ本体１１は、その内部が中空とされている。ポンプ本体１１は、その内部が中空とされている。ポンプ本体１１の形状は、例えば、円筒形状とすることができる。ポンプ本体１１は、容器０５の内部に収容されている。
【００１５】
ポンプ管１２の上端部は、ポンプ本体１１に収容されており、ポンプ管１２の下端部は、ポンプ本体１１から突出している。ポンプ管１２は、ポンプ本体１１の底部の下方に延在するような形状とされている。
【００１６】
容器締付リング１３は、ポンプ本体１１の上部に設けられている。容器締付リング１３は、液体を収容する容器０５の瓶口の上に着脱可能に取り付けられる部材である。容器締付リング１３は、スプレー式液体ヘッドＡを容器０５に固定するための部材である。
【００１７】
ポンプユニット１４は、中空とされたポンプ本体１１の内部に設けられている。ポンプユニット１４は、バルブ１４１と、リセットスプリング１４２と、ステンレス玉１４３とを有する。バルブ１４１は、容器締付リング１３の下方に配置される導液管２１１の底部と結合されている。
【００１８】
リセットスプリング１４２は、バルブ１４１とステンレス玉１４３との間に配置されている。リセットスプリング１４２の上端は、バルブ１４１の下端と接触しており、リセットスプリング１４２の下端は、ステンレス玉１４３と接触している。リセットスプリング１４２は、弾力によりバルブ１４１を下から支えている。
【００１９】
ステンレス玉１４３は、ポンプ本体１１内の底部にプリセットされた円錐孔口１１０上に配置されている。
【００２０】
図２を参照するに、プッシュユニット２０は、プッシュヘッド２１と、横向延伸管２２とを有する。プッシュヘッド２１は、ヘッド本体１０の上方に配置されている。プッシュヘッド２１の底部には、導液管２１１が設けられている。プッシュヘッド２１は、導液管２１１と一体的に構成されている。
【００２１】
横向延伸管２２は、その一方の端部（片側）がプッシュヘッド２１と一体的に構成されている。横向延伸管２２は、ポンプ管１２の延在方向と直交する方向に延在している。横向延伸管２２は、導液管２１１を経由して移送される図示してない液体（容器０５内に収容された液体）を移送可能な構成とされている。
【００２２】
導液管２１１は、プッシュヘッド２１の底部に設けられている。導液管２１１は、プッシュヘッド２１と一体的に構成されている。導液管２１１は、プッシュヘッド２１の底部に延在する形状とされている。導液管２１１の底部は、昇降可能なように、ポンプ本体１１の内部に挿入されている。
【００２３】
図３は、本考案の一実施例であるスプレー式液体ヘッドの主要部の分解斜視図である。また、図４は、本考案の一実施例であるプッシュユニットの断面図である。
【００２４】
図２乃至図４を参照するに、定方向組合孔２３は、円形孔とされており、横向延伸管２２の他方の端部に設けられている。定方向組合孔２３は、定方向連結管部３１２が挿入される孔であり、定方向位置決め部２３１を有する。定方向連結管部３１２の外形は、定方向組合孔２３と接触するような形状とされている。
【００２５】
定方向組合孔２３は、例えば、対向する一対の平面と、一対の平面の上下に設けられたラウンド面（円弧状の面）とを有した形状にするとよい。
【００２６】
この場合、定方向位置決め部２３１は、横向延伸管２２の他方の端部に位置する部分の一対の平面により構成される。
【００２７】
このように、定方向組合孔２３の形状を、対向する一対の平面と、一対の平面の上下に設けられたラウンド面（円弧状の面）とを有した形状とすることで、対向する一対の平面により構成された定方向位置決め部２３１により、定方向組合孔２３に挿入される定方向連結管部３１２の向きを規制することが可能となる。これにより、縦向端管３１４が確実に下向きとなるように、プッシュユニット２０に対して定方向組合式スプレーヘッド３０を装着することが可能となるため、スプレー式液体ヘッドＡを構成する部品（この場合、プッシュユニット２０及び定方向組合式スプレーヘッド３０）の組み立てを短時間で容易に行うことができる。
【００２８】
図５は、本考案の一実施例であるプッシュユニットの水平方向の断面図である。
【００２９】
図３乃至図５を参照するに、支持補強側縁２４は、横向延伸管２２の対向する両側に設けられており、横向延伸管２２と一体形成されている。支持補強側縁２４は、縦方向（下向き）に延在するような形状とされている。
【００３０】
支持補強側縁２４の一方の端部は、プッシュヘッド２１と一体的に構成されており、支持補強側縁２４の他方の端部は、横向延伸管２２と一体的に構成されている。
【００３１】
このように、横向延伸管２２の対向する両側に支持補強側縁２４を設けると共に、支持補強側縁２４の一方の端部をプッシュヘッド２１と一体的に構成し、支持補強側縁２４の他方の端部を横向延伸管２２と一体的に構成することにより、プッシュヘッド２１及び横向延伸管２２の強度を向上させることが可能となる。
【００３２】
これにより、プッシュヘッド２１を押圧した際の圧力や外部からの衝撃からプッシュヘッド２１及び横向延伸管２２を保護することができる。
【００３３】
図２、図３、及び図５を参照するに、枠縁２１２は、プッシュヘッド２１の底部に設けられている。枠縁２１２は、支持補強側縁２４の片側と一体的に構成されている。
【００３４】
図６は、本考案の一実施例である定方向組合式スプレーヘッドの一部を拡大した断面図である。図７は、本考案の一実施例である定方向組合式スプレーヘッドの一部を拡大した分解斜視図である。
【００３５】
図２、図３、図６、及び図７を参照するに、定方向組合式スプレーヘッド３０は、曲がった連結管３１と、拡径凸座３１４と、縦向端管３２と、スプレー導流ユニット３３とを有する。
【００３６】
図６を参照するに、曲がった連結管３１は、縦管部３１１と、横方向に伸びた定方向連結管部３１２とを有する。縦管部３１１は、縦向端管３２に挿入される部材であり、リング状凸部３５を有する。縦管部３１１の下端は、複数の分留部３３１の上端と接触している。リング状凸部３５は、縦管部３１１の外壁に設けられている。リング状凸部３５は、縦向端管３２の内壁に設けられたリング状凹部３４と係合する凸部である。
【００３７】
このように、縦管部３１１の外壁にリング状凸部３５を設けると共に、縦向端管３２の内壁にリング状凸部３５と係合するリング状凹部３４とを設けることにより、縦管部３１１と縦向端管３２とを正しい位置で確実に装着することができる。
【００３８】
図２、図３、及び図６を参照するに、定方向連結管部３１２は、一方の端部が縦管部３１１と一体的に構成されている。定方向連結管部３１２は、縦管部３１１と直交する方向に延在している。
【００３９】
定方向連結管部３１２の他方の端部は、定方向組合孔２３に挿入されている。定方向連結管部３１２は、定方向連結管部３１２の外周面が定方向組合孔２３を構成する面と接触するような形状とされている。定方向連結管部３１２は、定方向リミット部３１３を有する。
【００４０】
定方向連結管部３１２は、円管形状とされている。定方向連結管部３１２は、例えば、対向する一対の平面（別の平面）と、該一対の平面の上下に設けられたラウンド面（円弧状の面）とを有した形状とすることができる。この場合、定方向リミット部３１３は、上記対向する一対の平面（別の平面）により構成される。定方向リミット部３１３は、横向延伸管２２に曲がった連結管３１が挿入された際、定方向位置決め部２３１と接触する部分である。
【００４１】
図６を参照するに、拡径凸座３１４は、曲がった連結管３１を構成する縦管部３１１と定方向連結管部３１２との間に設けられている。拡径凸座３１４の底部と縦管部３１１との間には、嵌込口３１５が形成されている。嵌込口３１５は、縦向端管３２の上端に形成された嵌込フランジ３２４が嵌め合わされる部分である。嵌込口３１５と嵌込フランジ３２４とが嵌合することで、曲がった連結管３１に縦向端管３２が装着される。
【００４２】
図６を参照するに、縦向端管３２は、縦管部３１１の一部を収容する中空部を有した形状とされている。縦向端管３２は、縦管部３１１に装着される部材である。縦向端管３２は、ノズル３２１と、嵌め口３２２と、リング状凹部３４とを有する。
【００４３】
ノズル３２１は、縦向端管３２の底部を貫通するように形成されている。ノズル３２１は、容器０５内に収容された液体（図示せず）を螺旋状の霧として噴出する部分である。嵌め口３２２は、縦向端管３２の上端に形成された中空部である。嵌め口３２２には、縦管部３１１が挿入される。
【００４４】
リング状凹部３４は、縦向端管３２の上部に形成されている。リング状凹部３４は、先に説明したように、縦管部３１１に形成されたリング状凸部３５と係合する部分である。
【００４５】
図３、図６、及び図７を参照するに、スプレー導流ユニット３３は、縦管部３１１の下端とノズル３２１との間に配置されている。スプレー導流ユニット３３は、縦管部３１１の下端と接触する複数の分流部３３１と、分流溝３３２と、螺旋状伝送路３３３とを有する。分流部３３１は、スプレー導流ユニット３３の上部を構成する板状の部材である。分流部３３１は、縦管部３１１を通過した液体を分流溝３３２に導くための部分である。分流溝３３２は、分流部３３１と螺旋状伝送路３３３との間に位置する部分のスプレー導流ユニット３３に形成されている。分流溝３３２は、螺旋状伝送路３３３に液体を導くための溝である。螺旋状伝送路３３３は、縦向端管３２に形成されたノズル３２１の位置に合うように配置されている。
【００４６】
ここで、図２を参照して、本考案のスプレー式液体ヘッドＡの動作について説明する。スプレー式液体ヘッドＡは、従来の液体ヘッドと操作方法は同じであるが、従来の液体ヘッドと構成が異なるため、従来の液体ヘッドとは動作が異なる。
【００４７】
まず、使用者がプッシュユニット２０のプッシュヘッド２１に下向きの圧力を加える（つまり、矢印Ｌ１の方向にプッシュヘッド２１を押す）。これにより、ポンプユニット１４が動作し、ポンプ本体１１内に貯えられた液体が、導液管２１１、横向延伸管２２、方向組合式スプレーヘッド３０の順で移送され（つまり、矢印Ｌ２の方向に液体が流れる）、液体はスプレー導流ユニット３３へ流れる。
【００４８】
その後、液体は、分流部３３１及び分流溝３３２に分流され、螺旋状伝送路３３３にて螺旋状に合流する。これにより、液体が縦向端管３２にあるノズル３２１から噴出するとき、螺旋状の霧として広がる（図２のＬ３参照）。
【００４９】
本考案のスプレー式液体ヘッドＡによれば、横向延伸管２２の対向する両側に支持補強側縁２４を設けると共に、支持補強側縁２４の一方の端部をプッシュヘッド２１と一体的に構成し、支持補強側縁２４の他方の端部を横向延伸管２２と一体的に構成することにより、プッシュヘッド２１を押圧した際の圧力や外部からの衝撃からプッシュヘッド２１及び横向延伸管２２を保護することができる。
【００５０】
また、定方向組合孔２３の形状を、対向する一対の平面と、一対の平面の上下に設けられたラウンド面（円弧状の面）とを有した形状とすることで、対向する一対の平面により構成された定方向位置決め部２３１により、定方向組合孔２３に挿入される定方向連結管部３１２の向きを規制することが可能となる。これにより、縦向端管３１４が確実に下向きとなるように、プッシュユニット２０に対して定方向組合式スプレーヘッド３０を装着することが可能となるため、スプレー式液体ヘッドＡを構成する部品（この場合、プッシュユニット２０及び定方向組合式スプレーヘッド３０）の組み立てを短時間で容易に行うことができる。
【００５１】
なお、上述の実施例（図１〜図７参照）に掲示されたのは、本考案を具体的に説明するための内容であり、これを以って当該新案登録請求の範囲を制限してはならず、また本願考案に改造や変更などを行って本願考案と同等な効果を得たとしても、それらの改造や変更等は、本願考案の技術的な範疇に含まれるものである。
【符号の説明】
【００５２】
Ａ      スプレー式液体ヘッド
０５    容器
１０    ヘッド本体
１１    ポンプ本体
１２    ポンプ管
１３    容器締付リング
１４    ポンプユニット
２０    プッシュユニット
２１    プッシュヘッド
２２    横向延伸管
２３    定方向組合孔
２４    支持補強側縁
３０    定方向組合式スプレーヘッド
３１    曲がった連結管
３２    縦向端管
３３    スプレー導流ユニット
３４    リング状凹部
３５    リング状凸部
１１０  円錐孔口
１４１  バルブ
１４２  リセットスプリング
１４３  ステンレス玉
２１１  導液管
２１２  枠縁
２３１  定方向位置決め部
３１１  縦管部
３１２  定方向連結管部
３１３  定方向リミット部
３１４  拡径凸座
３１５  嵌込口
３２１  ノズル
３２２  嵌め口
３２４  嵌込フランジ
３３１  分流部
３３２  分流溝
３３３  螺旋状伝送路
【図１】
0003157077.tif 000003
【図２】
0003157077.tif 000004
【図３】
0003157077.tif 000005
【図４】
0003157077.tif 000006
【図５】
0003157077.tif 000007
【図６】
0003157077.tif 000008
【図７】
0003157077.tif 000009